(57)【要約】【課題】ノズルを備えた供給管を適正にブームに支持できる支持構造を構成する。【解決手段】ブーム２１の長手方向に沿って配置される薬剤供給管２２と、薬剤供給管２２の外周に保持されることで薬剤供給管２２に供給される薬剤の一部が薬剤供給管２２の外周の貫通孔２２ａから送られるホルダ２３と、ホルダ２３に備えられ、ホルダ２３からの薬剤を噴霧する散布ノズル２４とを備え、ブーム２１に支持されるブラケット２６と、ホルダ２３に形成される支持プレート２５とを、相対位置変位自在に支持する支持機構Ｓを備えた。【選択図】図５
2019135971.tif 000002
【特許請求の範囲】
【請求項１】
ブームの長手方向に沿って配置される供給管と、
前記供給管の外周に保持されることにより、前記供給管に供給される流体の一部が前記供給管の外周の貫通孔から送られるホルダと、
前記ホルダに備えられ、前記ホルダに送り出された流体を噴霧するノズルとを備え、
前記ブームに支持されるブラケットと、前記ホルダに形成される支持部とを、相対位置変位自在に支持する支持機構を備えているノズル支持構造。
【請求項２】
前記支持部が、前記ホルダに備えられる支持プレートで構成されると共に、当該支持プレートに第１貫通孔が形成され、
前記ブラケットに、第２貫通孔が形成され、
前記支持機構が、第１ボルト挿通孔を有した弾性材料で成る第１緩衝部材を備えており、
前記支持プレートの支持面と前記ブラケットの連結面との間に前記第１緩衝部材を挟み、ボルトを前記第１貫通孔と前記第１ボルト挿通孔と前記第２貫通孔とに挿通し、前記ボルトの締結により前記支持プレートと前記ブラケットを連結している請求項１に記載のノズル支持構造。
【請求項３】
前記支持部が、前記ホルダに備えられる支持プレートで構成されると共に、当該支持プレートに第１貫通孔が形成され、
前記ブラケットに、第２貫通孔が形成され、
前記支持機構が、第２ボルト挿通孔を有した弾性材料で成る第２緩衝部材を備えており、
前記支持プレートの支持面と前記ブラケットの連結面とが対向する位置に配置されると共に、前記支持プレートのうち前記支持面と反対側の面、又は、前記ブラケットのうち前記連結面と反対側の面に接触するように前記第２緩衝部材を配置し、前記第２緩衝部材の前記第２ボルト挿通孔に挿通するボルトを、前記第１貫通孔と前記第２貫通孔とに挿通し、前記ボルトの締結により前記支持プレートと前記ブラケットを連結している請求項１に記載のノズル支持構造。
【請求項４】
前記第２緩衝部材の前記第２ボルト挿通孔に前記ボルトの挿通が可能なブッシュを嵌め込み、前記支持プレートの前記第１貫通孔と前記ブラケットの前記第２貫通孔との一方が他方より大径であり、前記第１貫通孔と前記第２貫通孔とのうち大径となるものに対して一部が挿入される状態で前記第２緩衝部材を配置している請求項３に記載のノズル支持構造。
【請求項５】
前記支持部が、前記ホルダに備えられる支持プレートで構成されると共に、当該支持プレートに第１貫通孔が形成され、
前記ブラケットに、第２貫通孔が形成され、
前記支持機構が、第１ボルト挿通孔を有した弾性材料で成る第１緩衝部材と、第２ボルト挿通孔を有した弾性材料で成る第２緩衝部材とを備えており、
前記支持プレートの支持面と前記ブラケットの連結面との間に前記第１緩衝部材を挟み、前記支持プレートのうち前記支持面と反対側の面、又は、前記ブラケットのうち前記連結面と反対側の面に接触するように前記第２緩衝部材を配置し、
前記第１貫通孔と前記第２貫通孔と前記第１ボルト挿通孔と前記第２ボルト挿通孔に挿通するボルトの締結により前記支持プレートと前記ブラケットを連結している請求項１に記載のノズル支持構造。
【請求項６】
前記第１緩衝部材と前記第２緩衝部材とが一体物である請求項５に記載のノズル支持構造。
【請求項７】
前記ホルダが、前記供給管を抱き込むように半円周状の圧着面を有する第１ホルダと、前記供給管のうち前記第１ホルダが抱き込む領域の反対側を抱き込むように半円周状の圧着面を有し流体が送られる内部流路が形成された第２ホルダと、前記第１ホルダおよび前記第２ホルダを連結固定するビスを備えて構成され、
前記ノズルが、前記内部流路に連通する状態で前記第２ホルダに備えられ、
前記支持プレートが、前記ビスにより前記第１ホルダに共締めにより固定されている請求項２〜６のいずれか一項に記載のノズル支持構造。
【請求項８】
前記ブラケットが、前記ブームの外壁、又は、前記ブームに備えた支持体に接触状態で支持される取付面を有すると共に、当該取付面と前記連結面とが互いに直交する姿勢で形成されている請求項２〜７のいずれか一項に記載のノズル支持構造。
【発明の詳細な説明】
【技術分野】
【０００１】
本発明は、ノズルを有する供給管をブームの長手方向に配置した構成においてノズルを支持するノズル支持構造に関する。
【背景技術】
【０００２】
上記構成のノズル支持構造として、特許文献１には、ブームの長手方向に沿って供給管（文献ではノズルパイプ）を備え、この供給管に対し複数のノズルを設定間隔で備え、供給管をブームに支持した技術が記載されている。
【０００３】
この特許文献１の技術では、供給管から薬剤を直接供給されるように、供給管にノズルを支持しており、図面から判断して（文献の図１、図３等）供給管を、ブラケット等を用いてブームに支持している。
【先行技術文献】
【特許文献】
【０００４】
【特許文献１】特開２００８−２００００５号公報
【発明の概要】
【発明が解決しようとする課題】
【０００５】
特許文献１に記載されるように、複数のノズルを備えた供給管をブームに支持するために複数のブラケット等を、ボルト等でブームに固定する構成では、ブラケット等の寸法誤差によりブームの表面に対して供給管を平行となる姿勢で支持することが困難になることも考えられた。
【０００６】
例えば、供給管が金属パイプ材で構成されるものでは、供給管の剛性が高いため、前述したように供給管を適正な姿勢で支持できない場合には、供給管に無理な外力が作用することや、ブラケット等に対し適正に連結できない不都合に繋がることもあった。
【０００７】
このような理由から、ノズルを備えた供給管を適正にブームに支持できる支持構造が求められる。
【課題を解決するための手段】
【０００８】
本発明に係るノズル支持構造の特徴構成は、ブームの長手方向に沿って配置される供給管と、
前記供給管の外周に保持されることにより、前記供給管に供給される流体の一部が前記供給管の外周の貫通孔から送られるホルダと、
前記ホルダに備えられ、前記ホルダに送り出された流体を噴霧するノズルとを備え、
前記ブームに支持されるブラケットと、前記ホルダに形成される支持部とを、相対位置変位自在に支持する支持機構を備えている点にある。
【０００９】
この特徴構成によると、ホルダに形成される支持部とブラケットとを、支持機構によって相対位置変位が許される状態で支持することができる。この支持形態では支持部とブラケットとの相対位置の変位が許されるため、例えば、複数のブラケットに寸法誤差がある場合でも支持機構が寸法誤差を吸収することによりブームに対して供給管を適正な姿勢に支持することができ、供給管に無理な外力が作用することや、ブラケット等に対し適正に連結できない不都合が解消される。
従って、ノズルを備えた供給管を適正にブームに支持できる支持構造が構成された。
【００１０】
他の構成として、前記支持部が、前記ホルダに備えられる支持プレートで構成されると共に、当該支持プレートに第１貫通孔が形成され、
前記ブラケットに、第２貫通孔が形成され、
前記支持機構が、第１ボルト挿通孔を有した弾性材料で成る第１緩衝部材を備えており、
前記支持プレートの支持面と前記ブラケットの連結面との間に前記第１緩衝部材を挟み、ボルトを前記第１貫通孔と前記第１ボルト挿通孔と前記第２貫通孔とに挿通し、前記ボルトの締結により前記支持プレートと前記ブラケットを連結しても良い。
【００１１】
これによると、支持プレートの支持面とブラケットの連結面との間に弾性材料で成る第１緩衝部材を挟み込んだ状態で、支持プレートの第１貫通孔と第１緩衝部材の第１ボルト挿通孔とブラケットの第２貫通孔とにボルトを挿通し、締付により支持プレートとブラケットとが連結される。この連結状態では、第１緩衝部材が弾性変形することによりボルトの軸芯に沿う方向と、ボルトの軸芯に直交する方向との何れの方向にも支持プレートとブラケットとの相対的な変位が許され、ブームに対し供給管を適正に支持できる。
【００１２】
他の構成として、前記支持部が、前記ホルダに備えられる支持プレートで構成されると共に、当該支持プレートに第１貫通孔が形成され、
前記ブラケットに、第２貫通孔が形成され、
前記支持機構が、第２ボルト挿通孔を有した弾性材料で成る第２緩衝部材を備えており、
前記支持プレートの支持面と前記ブラケットの連結面とが対向する位置に配置されると共に、前記支持プレートのうち前記支持面と反対側の面、又は、前記ブラケットのうち前記連結面と反対側の面に接触するように前記第２緩衝部材を配置し、前記第２緩衝部材の前記第２ボルト挿通孔に挿通するボルトを、前記第１貫通孔と前記第２貫通孔とに挿通し、前記ボルトの締結により前記支持プレートと前記ブラケットを連結しても良い。
【００１３】
これによると、支持プレートの支持面とブラケットの連結面とを接触させた状態で、弾性材料で成る第２緩衝部材の第２ボルト挿通孔に挿通したボルトを、支持プレートの第１貫通孔とブラケットの第２貫通孔に挿通し、このボルトの締付により支持プレートとブラケットとが連結される。この連結状態では、第２緩衝部材が弾性変形することにより支持プレートの支持面とブラケットの連結面とに沿う方向に支持プレートとブラケットとを相対変位が許され、ブームに対し供給管を適正に支持できる。
【００１４】
他の構成として、前記第２緩衝部材の前記第２ボルト挿通孔に前記ボルトの挿通が可能なブッシュを嵌め込み、前記支持プレートの前記第１貫通孔と前記ブラケットの前記第２貫通孔との一方が他方より大径であり、前記第１貫通孔と前記第２貫通孔とのうち大径となるものに対して一部が挿入される状態で前記第２緩衝部材を配置しても良い。
【００１５】
これによると、第１貫通孔と第２貫通孔との一方が他方より大径であり、この大径となる貫通孔に第２緩衝部材の一部が挿入される状態で第２緩衝部材を配置することにより、第２緩衝部材の変位が抑制される状態で、支持プレートの支持面とブラケットの連結面の接触面とを圧接させ、支持面と連結面とに沿う方向への相対変位を第２緩衝部材の弾性変形により許す。また、ブッシュを備えているためボルトによる締結を行う際に第２緩衝部材を過剰に圧縮する不都合を解消できる。
【００１６】
他の構成として、前記支持部が、前記ホルダに備えられる支持プレートで構成されると共に、当該支持プレートに第１貫通孔が形成され、
前記ブラケットに、第２貫通孔が形成され、
前記支持機構が、第１ボルト挿通孔を有した弾性材料で成る第１緩衝部材と、第２ボルト挿通孔を有した弾性材料で成る第２緩衝部材とを備えており、
前記支持プレートの支持面と前記ブラケットの連結面との間に前記第１緩衝部材を挟み、前記支持プレートのうち前記支持面と反対側の面、又は、前記ブラケットのうち前記連結面と反対側の面に接触するように前記第２緩衝部材を配置し、
前記第１貫通孔と前記第２貫通孔と前記第１ボルト挿通孔と前記第２ボルト挿通孔に挿通するボルトの締結により前記支持プレートと前記ブラケットを連結しても良い。
【００１７】
これによると、支持プレートの支持面とブラケットの連結面との間に弾性材料で成る第１緩衝部材を挟み込み、支持プレートのうち支持面と反対側の面、又は、ブラケットのうち連結面と反対側の面に接触するように第２緩衝部材を接触させた状態で、第１貫通孔と第２貫通孔と第１ボルト挿通孔と第２ボルト挿通孔にボルトを挿通し締結により支持プレートとブラケットを連結できる。この連結状態では第１緩衝部材と第２緩衝部材との弾性変形により支持プレートとブラケットとを相対変位が許され、ブームに対し供給管を適正に支持できる。
【００１８】
他の構成として、前記第１緩衝部材と前記第２緩衝部材とが一体物であっても良い。
【００１９】
これによると、第１緩衝部材と第２緩衝部材とを一体物として構成することにより、取り扱いが容易で、ノズル支持構造の組み立ても容易に行える。
【００２０】
他の構成として、前記ホルダが、前記供給管を抱き込むように半円周状の圧着面を有する第１ホルダと、前記供給管のうち前記第１ホルダが抱き込む領域の反対側を抱き込むように半円周状の圧着面を有し流体が送られる内部流路が形成された第２ホルダと、前記第１ホルダおよび前記第２ホルダを連結固定するビスを備えて構成され、
前記ノズルが、前記内部流路に連通する状態で前記第２ホルダに備えられ、
前記支持プレートが、前記ビスにより前記第１ホルダに共締めにより固定されても良い。
【００２１】
これによると、第１ホルダと第２ホルダとをビスで連結することで、ホルダで供給管を抱き込む状態で配置でき、供給管の外周の貫通孔からの流体を第２ホルダの内部流路からノズルに供給することが可能となる。また、ビスの共締めにより第１ホルダに支持プレートを固定できる。
【００２２】
他の構成として、前記ブラケットが、前記ブームの外壁、又は、前記ブームに備えた支持体に接触状態で支持される取付面を有すると共に、当該取付面と前記連結面とが互いに直交する姿勢で形成されても良い。
【００２３】
これによると、ブラケットの取付面をブームの外壁、又は、ブームに備えて支持体に接触状態で支持した状態で、支持プレートの支持面とブラケットの連結面とが接触する面に沿う方向へブラケット支持プレートとの相対変位が許されることにより、ブームを基準にして供給管の位置を適正に維持することが可能となる。
【図面の簡単な説明】
【００２４】
【図１】薬剤散布機の側面図である。
【図２】薬剤散布機の平面図である。
【図３】ブームと薬剤供給管と散布ノズルとを示す斜視図である。
【図４】ノズル支持構造の分解斜視図である。
【図５】ノズル支持構造の断面図である。
【図６】別実施形態（ａ）のノズル支持構造の断面図である。
【発明を実施するための形態】
【００２５】
以下、本発明の実施形態を図面に基づいて説明する。
図１、図２に、乗用型の薬剤散布機Ａが示されている。これらの図において、Ｆは「前方向」を示し、Ｂは「後方向」を示し、Ｕは「上方向」を示し、Ｄは「下方向」を示している。Ｒは「右方向」を示し、Ｌは「左方向」を示している。
【００２６】
（乗用型薬剤散布機の全体構成）
図１、図２に示すように、薬剤散布機Ａは、左および右の前輪１、左および右の後輪２により走行自在に機体３が構成され、機体３の中央部に薬剤タンク４が支持され、機体３の後部にエンジン５とポンプ６とが支持されている。機体３の前部には運転部７が配置され、この運転部７には運転座席８とステアリングホイール９とを有すると共に、操作レバーやペダル等が配置されている。
【００２７】
機体３の前端から前方向Ｆに突出する位置に、昇降リンク機構Ｌを介して上下揺動自在、かつ、ローリング機構Ｅを介してローリング自在にブーム２１（センタブーム２１ａとサイドブーム２１ｂとの上位概念）が支持されている。
【００２８】
昇降リンク機構Ｌは、電動型の昇降シリンダ１２により昇降作動する駆動構造を有し、ローリング機構Ｅはブーム２１の自重によりブーム２１を水平姿勢に維持するリンク構造を有している。
【００２９】
ブーム２１は、左右方向での中央位置のセンタブーム２１ａと、左側のサイドブーム２１ｂと、右側のサイドブーム２１ｂとで構成されている。各々のブーム２１には、長手方向に沿って薬剤供給管２２を備えており、薬剤供給管２２には、多数のホルダ２３を介して散布ノズル２４を備えている。薬剤供給管２２の支持構造の詳細は後述する。
【００３０】
左および右のサイドブーム２１ｂは、センタブーム２１ａの外端に開閉ブラケット１４を介し、揺動軸芯を中心に揺動開閉自在に支持されている。更に、センタブーム２１ａの外端近傍には、サイドブーム２１ｂの揺動開閉を行う電動シリンダ１５を備えている。
【００３１】
この構成から、散布作業時には、左および右のサイドブーム２１ｂを、図２に二点鎖線で示す使用姿勢に設定し、エンジン５でポンプ６を駆動して薬剤タンク４の薬剤を散布ノズル２４から噴霧し、機体３を走行させることで圃場に薬剤が散布される。
【００３２】
また、作業を行わない場合には、左および右のサイドブーム２１ｂを、図２に実線で示す格納姿勢に設定することにより所定のスペースに対する薬剤散布機Ａの駐機を可能にする。尚、この格納姿勢においてサイドブーム２１ｂが、斜め上方に向かう姿勢となるように揺動軸芯の姿勢が設定され、この格納姿勢では、機体３から左右外方に入り出す位置に配置された格納保持具１３に左および右のサイドブーム２１ｂを載置する形態で姿勢を保持できるように構成されている。
【００３３】
（ノズル支持構造）
薬剤供給管２２には、金属製のパイプ材が用いられ、この薬剤供給管２２をブーム２１に支持するため、図３〜図５に示すように、支持部としての支持プレート２５と、ブラケット２６と、支持機構Ｓと、これらに挿通する保持ボルト２８及びこの保持ボルト２８に螺合するナット２９とを有するノズル支持構造により支持されている。
【００３４】
支持機構Ｓは、支持プレート２５とブラケット２６とを、弾性材料の弾性変形により相対位置変位を許す状態で支持する機能を有しており、支持プレート２５やブラケット２６に寸法誤差がある場合でも、薬剤供給管２２に無理な力を作用させない状態での支持を可能にする。
【００３５】
つまり、複数の支持プレート２５の各々に寸法誤差があり、複数のブラケット２６にも寸法誤差がある場合。このような場合には、ブーム２１と薬剤供給管２２とが互いに平行となる姿勢で備えることが困難となる。また、薬剤供給管２２に形成される複数の貫通孔２２ａの間隔と、ブーム２１に対して連結ボルト３４によってブラケット２６を取り付けるため、ブーム２１に形成されるボルト孔の間隔との関係に誤差がある場合（貫通孔２２ａの間隔の２倍の値と、ブーム２１に形成されるボルト孔の間隔の値とに誤差がある場合）にも取付が困難になるものであった。このような不都合を解消するため支持機構Ｓを用いたノズル支持構造によりブーム２１に対し薬剤供給管２２が支持されている。
【００３６】
前述したように、薬剤供給管２２にはホルダ２３を介して散布ノズル２４が備えられている。ノズル支持構造は、ブーム２１に対しホルダ２３と散布ノズル２４とを有した薬剤供給管２２を支持するための構造であるが、このノズル支持構造は全てのホルダ２３に備えられるものではなく、図２、図３に示すように、複数のホルダ２３のうち、並び方向で２つのうち１つに（一つ置きに）備えられる。
【００３７】
図４に示すように、薬剤供給管２２の外周には設定間隔で貫通孔２２ａが形成され、この貫通孔２２ａから送られる薬剤を散布ノズル２４に送り出すため、貫通孔２２ａが形成された部位を抱き込む位置にホルダ２３を備えている。
【００３８】
具体的な構成として、図３〜図５に示すように、ホルダ２３は、薬剤供給管２２を抱き込むように半円周状の圧着面を有する第１ホルダ２３ａと、この第１ホルダ２３ａが抱き込む領域と反対側を抱き込むように半円周状の圧着面を有する第２ホルダ２３ｂと、これらを連結する一対のビス３１を備えている。第２ホルダ２３ｂの内部には貫通孔２２ａからの薬剤を送る内部流路２３Ｌが形成され、この内部流路２３Ｌからの薬剤が散布ノズル２４に供給される。
【００３９】
第２ホルダ２３ｂには貫通孔２２ａからの薬剤の漏出を阻止するシールリング３２を備え、第２ホルダ２３ｂと散布ノズル２４の連結部での薬剤の漏出を阻止するパッキン３３を備えている。
【００４０】
支持プレート２５（支持部）は、第１ホルダ２３ａに固定される固定片２５ａと、これに直交する姿勢の支持片２５ｂとを有している。支持片２５ｂは、水平姿勢に保持されるものであり、この支持片２５ｂには、上下方向に貫通する第１貫通孔２５Ｈが形成されると共に、下面に支持面２５Ｓが形成されている。
【００４１】
支持プレート２５の固定片２５ａには、前述した一対のビス３１が挿通する一対の孔部が形成され、この孔部を挿通するビス３１の共締めにより、支持プレート２５が第１ホルダ２３ａに固定される。
【００４２】
ブラケット２６は、ブーム２１に備えられた支持体３５に取り付けられる保持片２６ａと、これに直交する姿勢で、水平姿勢となる連結片２６ｂとを有している。このブーム２１では、保持片２６ａに一対のボルト孔が形成され、このボルト孔に挿通する連結ボルト３４によりブラケット２６がブーム２１の支持体３５に固定される。
【００４３】
また、連結片２６ｂには、この連結片２６ｂを上下に貫通する第２貫通孔２６Ｈが形成されると共に、上面に連結面２６Ｓが形成されている。更に、保持片２６ａのうちブーム２１に対向する面に取付面２６Ｔが形成されている。
【００４４】
支持機構Ｓは、柔軟に変形し得るゴムや樹脂で円板状に成形される緩衝グロメット２７（第２緩衝部材の一例）が用いられている。この緩衝グロメット２７の中央部分にグロメット孔部２７ａ（第２ボルト孔部の一例）が形成され、図４、図５に示す姿勢において、緩衝グロメット２７の上面にグロメット孔部２７ａを取り囲むように突出部２７Ｔが形成され、このグロメット孔部２７ａにブッシュ２７ｂが嵌め込まれている。
【００４５】
このノズル支持構造では、第１貫通孔２５Ｈの直径が、保持ボルト２８の挿通を可能にする値であり、第２貫通孔２６Ｈの直径が、第１貫通孔２５Ｈの直径より充分に大きい値で、緩衝グロメット２７の突出部２７Ｔが嵌り込む寸法に設定されている。
【００４６】
（ノズル支持構造：支持状態）
このような構造から、ホルダ２３と散布ノズル２４とを有する薬剤供給管２２をブーム２１に支持する際には、図４、図５に示すように、支持プレート２５の支持面２５Ｓと、ブラケット２６の連結面２６Ｓとを接触させる状態で、支持プレート２５の第１貫通孔２５Ｈからブラケット２６の第２貫通孔２６Ｈに亘って保持ボルト２８を挿通する。
【００４７】
この実施形態では、ブーム２１の外壁に支持体３５を備えており、この支持体３５の支持壁部３５ａに対してブラケット２６の保持片２６ａの取付面２６Ｔを当接させ、連結ボルト３４により連結固定している。
【００４８】
前述したように、第１貫通孔２５Ｈから第２貫通孔２６Ｈに亘って保持ボルト２８を挿通した状態において、連結片２６ｂのうち連結面２６Ｓの反対側から緩衝グロメット２７の突出部２７Ｔを第２貫通孔２６Ｈに嵌め込み、更に、緩衝グロメット２７のグロメット孔部２７ａのブッシュ２７ｂに保持ボルト２８を挿通し、保持ボルト２８を、ワッシャ３０に挿通した状態でナット２９に螺合させて締め付ける。
【００４９】
この締め付けにより、ブラケット２６の連結面２６Ｓをブーム２１の外面に接触させる状態で、連結ボルト３４により、ブラケット２６をブーム２１に連結固定することで薬剤供給管２２がブーム２１に支持される。また、この状態では緩衝グロメット２７の突出部２７Ｔが第２貫通孔２６Ｈに嵌め込まれるため、ブラケット２６に対する緩衝グロメット２７の位置が決まる。
【００５０】
このようにブーム２１に薬剤供給管２２を支持する際には、支持面２５Ｓと連結面２６Ｓとの接触が維持される状態で、緩衝グロメット２７を弾性変形させつつ、支持面２５Ｓと連結面２６Ｓとが接する仮想平面に沿う方向に支持プレート２５とブラケット２６との相対移動が許されるため、相対移動が行われることにより複数の支持プレート２５の各々に寸法誤差がある場合や、複数のブラケット２６の各々に寸法誤差がある場合でも、支持状態でも薬剤供給管２２に無理な外力を作用させることがない。
【００５１】
尚、この構成において、ブッシュ２７ｂは、保持ボルト２８による締付で緩衝グロメット２７が所定量だけ弾性変形した際に、一端が支持片２５ｂに当接し、他端がワッシャ３０に当接する長さに設定されている。これにより、緩衝グロメット２７の過剰な圧縮を抑制し、支持面２５Ｓと連結面２６Ｓとの間での滑動を可能にしている。
【００５２】
この実施形態では、保持ボルト２８を支持プレート２５の側からブラケット２６と緩衝グロメット２７とに挿通しているが、これとは逆の方向に保持ボルト２８を挿通しても同様に機能する。具体的には、図５の構成と比較すると、支持プレート２５の支持片２５ｂに形成された第１貫通孔２５Ｈを、第２貫通孔２６Ｈより大径に設定すると共に、この支持片２５ｂの上面側に緩衝グロメット２７を配置し、緩衝グロメット２７の突出部２７Ｔを第１貫通孔２５Ｈに嵌め込む形態で連結を行っても良い。
【００５３】
〔別実施形態〕
本発明は、上記した実施形態以外に以下のように構成しても良い（実施形態と同じ機能を有するものには、実施形態と共通の番号、符号を付している）。
【００５４】
（ａ）図６に示すように、支持機構Ｓとして、柔軟に変形し得るゴムや樹脂で円板状に成形された弾性材料が用いられ、プレート孔部４１Ｈ（第１ボルト挿通孔の一例）を有する緩衝プレート４１（第１緩衝部材の一例）を備えて構成する。同図には、緩衝プレート４１と、実施形態に示した緩衝グロメット２７とを併用した形態を示している。
【００５５】
つまり、支持プレート２５の支持片２５ｂの支持面２５Ｓと、ブラケット２６の連結片２６ｂの連結面２６Ｓとに挟まれる位置に緩衝プレート４１を配置し、ブラケット２６の連結片２６ｂのうち連結面２６Ｓと反対側に緩衝グロメット２７を配置する。そして、支持プレート２５の第１貫通孔２５Ｈと、緩衝プレート４１のプレート孔部４１Ｈと、ブラケット２６の第２貫通孔２６Ｈと、緩衝グロメット２７のグロメット孔部２７ａ（第２ボルト挿通孔）とに亘って保持ボルト２８を挿通し、ナット２９に螺合させて締め付ける。
【００５６】
このように別実施形態（ａ）では、支持プレート２５の支持面２５Ｓと、ブラケット２６の連結面２６Ｓとの間に緩衝プレート４１が挟み込まれ、ブラケット２６の外面に緩衝グロメット２７が接触する状態で、支持プレート２５とブラケット２６とが連結される。このように連結されることにより、支持プレート２５の支持片２５ｂとブラケット２６の連結片２６ｂとの重ね合わせ方向（保持ボルト２８が挿通する方向）への変位と、支持片２５ｂと連結片２６ｂとに沿う方向（保持ボルト２８の挿通方向に直交する方向）への変位とが許容され、ブーム２１と薬剤供給管２２との相対的な位置関係を適正にする支持が実現する。
【００５７】
この別実施形態（ａ）では、緩衝プレート４１（第１緩衝部材の一例）と、緩衝グロメット２７（第２緩衝部材）とを併用した構成を示していたが、緩衝プレート４１だけを用いて支持プレート２５とブラケット２６とを連結するように構成しても良い。
【００５８】
（ｂ）別実施形態（ａ）の変形例として、緩衝グロメット２７（第２緩衝部材の一例）と緩衝プレート４１（第１緩衝部材の一例）とを柔軟に変形し得るゴムや樹脂で一体化した一体物として形成しても良い。
【００５９】
具体的な構成として、一体物に、緩衝プレート４１と、緩衝グロメット２７との境界部分に小径部を形成し、緩衝プレート４１に形成したプレート孔部４１Ｈ（第１ボルト挿通孔）と、緩衝グロメット２７に形成されるグロメット孔部２７ａ（第２ボルト挿通孔）とを連通状態で形成する構成が考えられる。
【００６０】
このような構成の一体物を、例えば、第２貫通孔２６Ｈから挿入することで、の第２貫通孔２６Ｈに一体物の小径部を嵌め込み、図６に示すものと同様に配置するように構成しても良い。このように構成することにより連結作業を容易に行える。
【００６１】
（ｃ）実施形態では、固定片２５ａに対して支持プレート２５（支持部）の支持片２５ｂが直交する姿勢であったが、これに代えて例えば４５度に設定する等、直交姿勢以外の姿勢に設定する。これと同様にブラケット２６の保持片２６ａと連結片２６ｂとの相対姿勢も直交する角度以外に設定することも可能である。
【００６２】
（ｄ）支持部として、第１ホルダ２３ａにプレート状の部材を一体形成した構成を採用できる。この構成では、支持プレート２５を用いる構成と比較してビス３１の共締めによる取付作業が不要となる。
【産業上の利用可能性】
【００６３】
本発明は、ブームの長手方向に沿って配置される供給管にノズルを備えた構成で、供給管とノズルとをブームに支持する構造に利用することができる。
【符号の説明】
【００６４】
２１        ブーム
２２        薬剤供給管（供給管）
２２ａ      貫通孔
２３        ホルダ
２３ａ      第１ホルダ
２３ｂ      第２ホルダ
２３Ｌ      内部流路
２４        散布ノズル（ノズル）
２５        支持プレート・支持部
２５Ｓ      支持面
２５Ｈ      第１貫通孔
２６        ブラケット
２６Ｓ      連結面
２６Ｈ      第２貫通孔
２６Ｔ      取付面
２７        緩衝グロメット（第２緩衝部材）
２７ａ      グロメット孔部（第２ボルト挿通孔）
２７ｂ      ブッシュ
２８        保持ボルト（ボルト）
３１        ビス
３５        支持体
４１        緩衝プレート（第１緩衝部材）
４１Ｈ      プレート孔部（第２ボルト挿通孔）
Ｓ          支持機構
【図１】
2019135971.tif 000003
【図２】
2019135971.tif 000004
【図３】
2019135971.tif 000005
【図４】
2019135971.tif 000006
【図５】
2019135971.tif 000007
【図６】
2019135971.tif 000008